(57)【特許請求の範囲】
【請求項１】
バネ材による付勢力により、上下方向に開閉される可動障子と力学的平衡関係を保ち、該可動障子の開閉を容易にするとともに、任意の高さ位置に停止可能とするための上げ下げ窓用バランサー装置を、窓の縦枠上部位置に固定された取付け金具を介して取付ける上げ下げ窓用バランサー装置の取付け構造であって、
前記上げ下げ窓用バランサー装置は、縦枠側に、上方側にバランサー側上部係合部を有するとともに、下方側にバランサー側下部係合部を有する取付け板部を一体的に備え、
前記縦枠上部位置に固定された取付け金具は、前記バランサー側上部係合部と係合する金具側上部係合部と、前記バランサー側下部係合部と係合する金具側下部係合部とを有し、
前記バランサー側上部係合部および下部係合部の内の一方が係合片で他方が係合孔とされ、前記取付け金具側上部係合部および下部係合部の内の一方が係合溝で他方が係合片とされ、
前記上げ下げ窓用バランサー装置のバランサー側上部係合部と前記取付け金具の金具側上部係合部とが係合しているとともに、前記バランサー側下部係合部と前記取付け金具の金具側下部係合部とが係合していることを特徴とする上げ下げ窓用バランサー装置の取付け構造。
【発明の詳細な説明】
【０００１】
【発明の属する技術分野】
本発明は、バネ材による上方向の付勢力により、上下方向に開閉自在とされる可動障子と力学的平衡関係を保つための上げ下げ窓用バランサー装置の取付け構造に関する。
【０００２】
【従来の技術】
従来より、上下方向に開閉される可動障子を備えた上げ下げ窓では、前記可動障子を僅かな力で簡単に上下動させるようにするとともに、任意の開位置で停止可能とするために、前記可動障子の重量と力学的平衡関係を保つバランサー装置が用いられている。
【０００３】
この種のバランサー装置としては、捻りバネの捻り力を利用して障子重量と釣り合う平衡力を螺旋杆を介して作用させるようにした捻りバネ式バランサー装置と共に、渦巻きバネによる回転方向の付勢力を利用して障子を吊持しているワイヤを巻取っている巻取りドラムに巻き上げ方向の力を与え障子重量と釣り合う平衡力を作用させるようにした渦巻きバネ式バランサー装置が知られている。
【０００４】
後者の渦巻きバネ式バランサー装置は、図１に示されるように、上げ下げ窓の縦枠の上部位置（または上枠）に固定され、渦巻きバネ式バランサー５から繰り出された吊りワイヤ１５，１５が内側障子３の側部に突出した掛止具３ａ、３ａに掛止され内側障子３を吊持するようになっている。
【０００５】
前記渦巻きバネ式バランサー装置を、たとえば縦枠の上部位置に固定するには、縦枠２Ａ、２Ｂに対して直接、ネジにより固定するか、縦枠２Ａ、２Ｂに対して先ず、左右方向の位置調整を兼ねたブラケットをネジ固定し、このブラケットに対してネジにより固定するようにしている。
【０００６】
【発明が解決しようとする課題】
しかしながら、前記渦巻きバネ式バランサー装置の取付けを一人で行おうとする場合には、ある程度の重量物となる渦巻きバネ式バランサーを片手で所定の位置に位置決めしながら、ネジによる締結作業を行わなければならず、取付け作業が非常に手間取るなどの問題があった。
【０００７】
このような問題に対処するため、特開2000-64727号公報では、渦巻きバネ式バランサー装置がわに鉤状の係止片を設けておくとともに、ブラケットに対して前記係止片を係止させる切欠き部を形成しておき、前記渦巻きバネ式バランサー装置の係止片をブラケットの切欠き部に掛止し仮固定した後、ネジによって本固定を行う取付け方法が提案されている。
【０００８】
しかし、仮固定、次いで本固定の手順で取付けを行う場合には、前記仮固定段階での固定が不十分となりがちで、身体や工具などの接触や振動などで脱係するおそれがあるため非常に危険であるなどの問題がある。すなわち、前記渦巻きバネ式バランサーから繰り出されたワイヤには渦巻きバネによる付勢力により張力が掛かった状態であるため、突然の脱係によりバランサーが跳ねたり、ワイヤが跳ねたりするなどの危険性があった。
【０００９】
そこで本発明の主たる課題は、渦巻きバネ式バランサー装置を上げ下げ窓の縦枠に取付けするに当たり、簡単な係合操作のみで機能上十分な固定を可能とした取付け構造を提供することにある。
【００１０】
【課題を解決するための手段】
前記課題を解決するための請求項１に係る本発明として、バネ材による付勢力により、上下方向に開閉される可動障子と力学的平衡関係を保ち、該可動障子の開閉を容易にするとともに、任意の高さ位置に停止可能とするための上げ下げ窓用バランサー装置を、窓の縦枠上部位置に固定された取付け金具を介して取付ける上げ下げ窓用バランサー装置の取付け構造であって、
前記上げ下げ窓用バランサー装置は、縦枠側に、上方側にバランサー側上部係合部を有するとともに、下方側にバランサー側下部係合部を有する取付け板部を一体的に備え、
前記縦枠上部位置に固定された取付け金具は、前記バランサー側上部係合部と係合する金具側上部係合部と、前記バランサー側下部係合部と係合する金具側下部係合部とを有し、
前記バランサー側上部係合部および下部係合部の内の一方が係合片で他方が係合孔とされ、前記取付け金具側上部係合部および下部係合部の内の一方が係合溝で他方が係合片とされ、
前記上げ下げ窓用バランサー装置のバランサー側上部係合部と前記取付け金具の金具側上部係合部とが係合しているとともに、前記バランサー側下部係合部と前記取付け金具の金具側下部係合部とが係合していることを特徴とする上げ下げ窓用バランサー装置の取付け構造が提供される。
【００１１】
【発明の実施の形態】
以下、本発明の実施の形態について図面を参照しながら詳述する。
【００１２】
図１は渦巻きバネ式バランサー装置５を備える上げ下げ窓の正面図であり、図２および図３はそれぞれ前記渦巻きバネ式バランサー装置５の正面図、底面図である。
【００１３】
上げ下げ窓１は、方形枠状に構成された窓枠２の内部に縦枠２Ａ、２Ｂに沿って昇降自在とされる内側障子３と、固定式外側障子４とを備え、前記縦枠２Ａ、２Ｂの上部に渦巻きバネ式バランサー装置５、５が固定されるとともに、この渦巻きバネ式バランサー５から繰り出された吊りワイヤ１５，１５が内側障子３の側部に突出した掛止具３ａ、３ａに掛止され内側障子３を吊持している。この渦巻きバネ式バランサー装置５は、内設された渦巻きバネにより前記内側障子３の重量と力学的に平衡関係を保ち、前記内側障子３を小さな力で簡単に開閉出来るようになっているとともに、任意の高さ位置に停止出来るようになっている。なお、前記外側障子４についても同様に、上下方向に開閉自在の可動障子とし、別途設けた渦巻きバネ式バランサー装置５によって吊持することも可能である。
【００１４】
前記渦巻きバネ式バランサー装置５（以下、単にバランサー装置という。）は、図２および図３に示されるように、ハウジングを構成する第１ベース板１０および第２ベース板１１と、これら第１および第２ベース板１０、１１によって支持された支軸１３と、前記第１および第２ベース板１０、１１によって挟まれた空間内に配設されるとともに、前記支軸１３を回転軸として回転自在に支持され、内側障子３を吊持している吊りワイヤ１５を巻き取っているワイヤ巻取りドラム１４と、前記支軸１３に外嵌して配設されるとともに、内方端が前記支軸１３に係止されるとともに、外方端が前記ワイヤ巻取りドラム１４に掛止された渦巻きバネ１６とからなる装置で、図示の例では、前記縦枠２Ａ、２Ｂに対しスペーサ２１を間に介して固定ネジ２０，２０によって固定された取付け金具６に対し取付けされている。
【００１５】
以下、さらに前記バランサー装置５について詳述すると、前記第１ベース板１０は、取付け金具６に対する固定のために断面Ｌ字状の板材が用いられ、一方第２ベース板１１は、前記第１ベース板１０の板面に対して離間させるために２つの脚部１１ａ、１１ｂを備え、前記第１ベース板１０に対して前記脚部１１ａ、１１ｂの先端面を当接させ、板面を平行的に対面させた状態で平ネジ１２，１２…にて連結されている。
【００１６】
前記第１ベース板１０および第２ベース板１１の略中央部には、板面に対して直交する方向に貫通され、前記第１ベース板１０と第２ベース板１１とに両端部がそれぞれ支持された状態で支軸１３が回転自在に設けられている。
【００１７】
また、前記第１ベース板１０と第２ベース板１１とによって挟まれた空間内には、吊りワイヤ１５を巻き取る溝が螺旋状に形成された巻取りドラム１４が前記支軸１３を回転軸として設けられているとともに、この巻取りドラム１４に連設して一体的にバネケース１７が設けられている。このバネケース１７内には、内方端が前記支軸１３に係止されるとともに、外方端が前記バネケース１７の内壁に係止された渦巻きバネ１６が内設されている。
【００１８】
以下、上記バランサー装置５の取付け構造について、各形態例毎に説明する。
【００１９】
〔第１形態例〕
図４〜図７に基づいて第１形態例に係る取付け構造について詳述する。
【００２０】
前記バランサー装置５の第１ベース板１０は、図４に示されるように、ハウジング板部１０Ｂと、これの側方に断面Ｌ字状に延在される取付け板部１０Ａとを有する。この取付け板部１０Ａは、取付け板本体１８と、この取付け板部１８の上縁に連続して上方側に突出する上側係合片１９ａと、前記取付け板部１８の下縁に連続して下方側に突出する下側係合片１９ｂとを備えている。  前記取付け板本体１８の高さ寸法Ｌは、前記ハウジング板部１０Ｂの高さ寸法よりも相対的に小寸となっており、かつ前記係合片１９ａ、１９ｂの幅Ｂは、共に前記取付け板本体１８の幅よりも相対的に小寸となっているとともに、上側係合片１９ａの突出長ＬＵの方が、下側係合片１９ｂの突出長ＬＤよりも相対的に長くなっている。また、前記ハウジング板部１０Ｂには、正面視で右側下方位置に、取付け状態で後述の裏当て板部２５の下縁より下方側に位置する浮き上がり防止ネジ７が補助的な浮き上がり防止手段として配設されている。なお、この浮き上がり防止ネジ７は作業性の点から、取付け前状態ではネジ孔には螺設するが、裏側には突出させない状態としておく。
【００２１】
一方、取付け金具６は、金具本体板部２２と、この金具本体板部２２の上部側に連設された上側受け係合部２３と、前記金具本体板部２２の下部側に連設された下側受け係合部２４と、前記金具本体板部２２の一方側側縁に連設された裏当て板部２５とから構成されている。この取付け金具６は、たとえば１枚の鋼板を所定形状にフランジ成形加工することにより得られる。
【００２２】
前記金具本体板部２２の幅方向中央には、鉛直方向に２段配置でネジ孔２２ａ、２２ｂが形成され、縦枠２Ａ（２Ｂ）の板部に形成された通孔２ａ、２ｂを貫くとともに、スペーサ２１に形成された通孔２１ａ、２１ｂを貫いて配設された固定ネジ２０のネジ部が螺合され、前記縦枠２Ａ（２Ｂ）に固定されるようになっている。
【００２３】
前記上側受け係合部２３は、前記金具本体板部２２の上縁から延在する傾斜面部２３ａを介して垂直面部２３ｂが形成され、かつこの垂直面部２３ｂの上縁から水平方向かつ渦巻きバネ式バランサー側に屈曲する水平面部２３ｃが形成された形状を成し、前記垂直面部２３ｂおよび水平面部２３ｃに跨るＬ字区間に、前記上側係合片１９ａを挿通する上側係合溝２３ｄが形成されている。ここで、前記傾斜面部２３ａを形成するのは、前記固定ネジ２０の突出代を確保するためであり、前記上側係合溝２３ｄを断面Ｌ字状範囲に形成するのは、後述のように、バランサー装置５を取り付ける際に、最初に前記上側係合片１９ａを斜め方向に挿入可能とするためである。
【００２４】
一方、前記下側受け係合部２４は、前記上側受け係合部２３と対称形状に成形されたもので、前記金具本体板部２２の下縁から延在する傾斜面部２４ａを介して垂直面部２４ｂが形成され、かつこの垂直面部２４ｂの下縁から水平方向かつ渦巻きバネ式バランサー側に屈曲する水平面部２４ｃが形成された形状を成し、前記垂直面部２４ｂおよび水平面部２４ｃに跨るＬ字区間に、前記下側係合片１９ｂを挿通する下側係合溝２４ｄが形成されている。なお、この下側係合溝２４ｄについては、断面Ｌ字状に形成する必要はなく、スリット状に形成することも可能である。
【００２５】
前記バランサー装置５を縦枠２Ａ、２Ｂに固定するには、先ず前記取付け金具６を縦枠２Ａ、２Ｂの上部位置に固定する。具体的には、前述したように、縦枠２Ａ（２Ｂ）の板部に形成された通孔２ａ、２ｂを貫くとともに、スペーサ２１に形成された通孔２１ａ、２１ｂを貫いて配設された固定ネジ２０のネジ部を前記取付け金具６のネジ孔２２ａ、２２ｂに螺合させ、前記取付け金具６を縦枠２Ａ、２Ｂに堅固に固定する。
【００２６】
取付け金具６の固定を終えたならば、図５に示されるように、バランサー装置５を若干斜めにしながら、第１ベース板１０から延在する上側係合片１９ａを取付け金具６の上側係合溝２３ｄに挿入する。次いで、図６に示されるように、バランサー装置５の姿勢を正規の状態に直したならば、図７に示されるように、バランサー装置５をその状態のまま下方側に移動させ、第１ベース板１０から延在する下側係合片１９ｂを取付け金具６の下側係合溝２４ｄに挿入し、前記上側係合片１９ａを上側係合溝２３ｄによって支持させ、かつ前記下側係合片１９ｂを下側係合溝２４ｄによって支持させ本固定を図る。なお、本発明における「本固定」とは、バランサー装置をワイヤによる張力が掛かった状態下で、位置および姿勢が不動の状態、すなわち移動および回転変位しない状態で固定することをいう。
【００２７】
なお、前記係合片１９ａ、１９ｂの断面形状と係合溝２３ｄ、２４ｄの鉛直方向開口形状とはほぼ同形状となっており、取付け状態ではバランサー装置５がガタ付かないようになっている。
【００２８】
その後は、固定の万全を図るために、浮き上がり防止ネジ７を螺進させ、取付け金具６の裏当て板部２５の下縁若しくは下縁より下方側近傍位置にネジ部を突出させる。この浮き上がり防止ネジ７のネジ部は、前記裏当て板部２５の下縁に接触させる必要はなく、不慮の原因によりバランサー装置５に上方向の力が作用した際に、前記ネジ部が裏当て板部２５の下縁に衝突し、前記係合片１９ａ、１９ｂと係合溝２３ｄ、２４ｄとが脱係しない移動範囲で上方向へ移動するのを阻止できればよい。
【００２９】
また、上記浮き上がり防止手段は、要は裏当て板部２５の下縁に対する衝突部材があれば良いため、図８に示されるように、第１ベース板１０において、前記裏当て板部２５の下縁側相応位置に、略逆Ｕ字状の切込みを形成するとともに、上縁側を裏面がわに突出させた切起し傾斜片８を形成しておき、この切起し傾斜片８の上縁が前記裏当て板部２５の下縁に係合（衝突）するようにしてもよい。
【００３０】
〔第２形態例〕
次いで、図９〜図１２に基づいて第２形態例に係る取付け構造について詳述する。
【００３１】
図９は、本第２形態例に係る第１ベース板１０の形状および取付け金具６の形状を図示したものであるが、基本的構造は上記第１形態例と同様である。すなわち、第１ベース板１０は、ハウジング板部１０Ｂに連続して取付け板部１０Ａを備え、かつこの取付け板部１０Ａの上部に上側係合片１９ａを有するとともに、下部に下側係合片１９ｂを有する。
【００３２】
一方、取付け金具６には、前記上側係合片１９ａが挿入される上側係合溝２３ｄを備えるとともに、前記下側係合片１９ｂが挿入される下側係合溝２４ｄを備える。
【００３３】
詳細な説明は、同符号を付して省略するとして、異なる構造部分のみを説明すると、第１ベース板１０には、浮き上がり防止ネジ７に代えて、巻取りドラム１４側（室内側）に突出する第１切起し片１０ｃが形成されるとともに、この第１切起し片１０ｃ内に通孔１０ｄが形成されている。
【００３４】
一方、取付け金具６の裏当て板部２５の下部にも、同様に室内側に突出する第２切起し片２５ａが形成されるとともに、この第２切起し片２５ａ内に通孔２５ｂが形成されている。前記第１切起し片１０ｃと第２切起し片２５ａとは、バランサー装置５を取付け金具６に取り付けた状態では、対面する状態で接触するか、近接する関係となっている。
【００３５】
取付けは、図１０に示されるように、バランサー装置５を若干斜めにしながら、第１ベース板１０から延在する上側係合片１９ａを取付け金具６の上側係合溝２３ｄに挿入する。次いで、図１１に示されるように、バランサー装置５の姿勢を正規の状態に直したならば、図１２に示されるように、バランサー装置５をその状態のまま下方側に移動させ、第１ベース板１０から延在する下側係合片１９ｂを取付け金具６の下側係合溝２４ｄに挿入し、前記上側係合片１９ａを上側係合溝２３ｄによって支持させ、かつ前記下側係合片１９ｂを下側係合溝２４ｄによって支持させ固定を図る。
【００３６】
その後は、固定の万全を図るために、前記第１切起し片１０ｃの通孔１０ｄと第２切起し片２５ａの通孔２５ｂとを貫く浮き上がり防止用割りピン２６を設け、渦巻きバネ式バランサー５の浮き上がり防止を図る。
【００３７】
〔第３形態例〕
次いで、図１３〜図１６に基づいて第３形態例に係る取付け構造について詳述する。
【００３８】
本第３形態例も、第１ベース板１０に形成された上側係合片１９ａを取付け金具６の上側係合溝２３ｄに挿入し、かつ下側係合片１９ｂを取付け金具６の下側係合溝２４ｄに挿入して固定を図る点は同様であるが、取付け金具６への係合操作時に自動的に浮き上がり防止を図るようにしたものである。
【００３９】
図１３において、バランサー装置５のハウジング板部１０Ｂに対して方形状の窓孔１０ｅを形成するとともに、取付け金具６の裏当て板部２５の前記窓孔１０ｅ対応位置（図示では垂下片に亘る範囲）を折り曲げ成形加工により、漸次先端側に向かって断面Ｖ字形状が顕著となる凸状バネ板部２５ｃを形成する。
【００４０】
取付けは、図１４に示されるように、バランサー装置５を若干斜めにしながら、第１ベース板１０から延在する上側係合片１９ａを取付け金具６の上側係合溝２３ｄに挿入する。次いで、図１５に示されるように、バランサー装置５の姿勢を正規の状態に直したならば、図１６に示されるように、バランサー装置５をその状態のまま下方側に移動させ、第１ベース板１０から延在する下側係合片１９ｂを取付け金具６の下側係合溝２４ｄに挿入し、前記上側係合片１９ａを上側係合溝２３ｄによって支持させ、かつ前記下側係合片１９ｂを下側係合溝２４ｄによって支持させ固定を図る。
【００４１】
前記図１６に示される下方側への移動に伴い、取付け金具６に形成された前記凸状バネ板部２５ｃが第１ベース板１０の窓孔１０ｅに自動的に嵌まり込み、前記凸状バネ板部２５ｃの先端が窓孔１０ｅの下縁に係合することにより、バランサー装置５が浮き上がるのを防止する。
【００４２】
〔第４形態例〕
上記第１〜第３形態例では、バランサー装置５の第１ベース板１０の取付け板部本体１８の上部側に上側係合片１９ａを形成し、取付け板部本体１８の下部側に下側係合片１９ｂを形成する一方、取付け金具６においては、金具本体板部２２の上部側に前記上側係合片１９ａが挿入される上側係合溝２３ｄを形成するとともに、下部側に前記下側係合片１９ｂが挿入される下側係合溝２４ｄを形成するようにしたが、バランサー装置５の前記取付け板部本体１８に形成される上・下係合部の構造および取付け金具６の金具本体板部２２に形成される上・下係合部の構造については種々の変更が可能である。
【００４３】
本第４形態例では、図１７に示されるように、前記取付け板部本体１８の上部側に上側係合孔１９ｃを形成し、下部側に下側係合片１９ｂを形成し、一方金具本体板部２２の上部側に前記上側係合孔１９ｃと係合する断面Ｌ字状の係合片２３ｅを形成し、下部側には下側係合溝２４ｄを形成した例である。なお、本例では上下部の係合部の内、上側部分について係合孔１９ｃと係合片２３ｅの関係で係合させるようにしたが、下側部分について、係合孔１９ｃと係合片２３ｅとの関係で係合させるようにしてもよい。前記上側係合孔１９ｃの孔形状は、上辺寸法Ｌが前記上側係合片２３ｅの幅寸法Ｌと同じとし、下辺が前記Ｌ寸法より大きい台形状の孔としてあり、取付け時には前記上側係合片２３ｅを上側係合孔１９ｃに通し易くしてあるとともに、取付け状態ではバランサー装置５が横ブレしない孔形状となっている。
【００４４】
かかる係合部構造の場合には、図１８に示されるように、取付け金具６側の上側係合片２３ｅをバランサー装置５側の上側係合孔１９ｃに通すとともに、バランサー装置５側に形成された下部係合片１９ｂを取付け金具６側に形成された下側係合溝２４ｄの上部に位置決めし、次いでバランサー装置５をその状態のまま下方側に落し込み、バランサー装置５の本固定を図るようにする。
【００４５】
なお、本形態例における浮き上がり防止手段については、第１形態例と同じように、浮き上がり防止ネジ７によるものを図示しているが、前述した他の浮き上がり防止手段とすることができる。
【００４６】
〔第５形態例〕
次いで、第５形態例は、図１９に示されるように、前記取付け板部本体１８の上部側に上部側係合孔１９ｃを形成し、下部側に下側係合孔１９ｅを形成し、一方金具本体板部２２の上部側に前記上側係合孔１９ｃと係合する断面Ｌ字状の係合片２３ｅを形成し、下部側に前記下側係合孔１９ｅと係合する断面Ｌ字状の係合片２４ｅを形成した例である。
【００４７】
かかる係合部構造の場合にも、図２０に示されるように、取付け金具６側の上側係合片２３ｅをバランサー装置５側の上側係合孔１９ｃに通すとともに、取付け金具６側の下側係合片２４ｅをバランサー装置５側の下側係合孔１９ｅに通した状態で位置決めし、次いでバランサー装置５をその状態のまま下方側に落し込み、バランサー装置５の本固定を図るようにする。
【００４８】
なお、本形態例における浮き上がり防止手段についても、第１形態例と同じ浮き上がり防止ネジ７によるものを図示しているが、前述した他の浮き上がり防止手段とすることができる。
【００４９】
〔その他〕
以上、浮き上がり防止手段を含めたバランサー装置５の各取付け態様について詳述したが、バランサー装置５は、内側障子３を吊持する吊りワイヤ１５によって、常に下方側に付勢されているため、通常の使用状態では、前記バランサー装置５に上方向力が働き浮き上がることはない。したがって、前述した各浮き上がり防止手段については省略することも可能である。
【００５０】
【発明の効果】
以上詳説のとおり本発明によれば、バランサー装置を上げ下げ窓の縦枠に取付けするに当たり、簡単な係合操作のみで機能上十分な固定が可能となる。
【図面の簡単な説明】
【図１】  バランサー装置を用いた上げ下げ窓の正面図である。
【図２】  バランサー装置の正面図である。
【図３】  その底面図（図２のIII−III線矢視）である。
【図４】  本第１形態例に係る取付け構造を示すバランサー装置５および取付け金具６の斜視図である。
【図５】  その取付け手順図（その１）である。
【図６】  その取付け手順図（その２）を示す、(A)は正面図、(B)は(A)のＢ−Ｂ線矢視図である。
【図７】  その取付け手順図（その３）を示す、(A)は正面図、(B)は(A)のＢ−Ｂ線矢視図である。
【図８】  浮き上がり防止手段の変形例を示す、(A)は正面図、(B)は(A)のＢ−Ｂ線矢視図である。
【図９】  本第２形態例に係る取付け構造を示すバランサー装置５および取付け金具６の斜視図である。
【図１０】  その取付け手順図（その１）である。
【図１１】  その取付け手順図（その２）を示す、(A)は正面図、(B)は(A)のＢ−Ｂ線矢視図である。
【図１２】  その取付け手順図（その３）を示す、(A)は正面図、(B)は(A)のＢ−Ｂ線矢視図である。
【図１３】  本第３形態例に係る取付け構造を示すバランサー装置５および取付け金具６の斜視図である。
【図１４】  その取付け手順図（その１）である。
【図１５】  その取付け手順図（その２）を示す、(A)は正面図、(B)は(A)のＢ−Ｂ線矢視図である。
【図１６】  その取付け手順図（その３）を示す、(A)は正面図、(B)は(A)のＢ−Ｂ線矢視図である。
【図１７】  本第４形態例に係る取付け構造を示すバランサー装置５および取付け金具６の斜視図である。
【図１８】  その取付け手順を示す図である。
【図１９】  本第５形態例に係る取付け構造を示すバランサー装置５および取付け金具６の斜視図である。
【図２０】  その取付け手順を示す図である。
【符号の説明】
１…上げ下げ窓、２Ａ・２Ｂ…縦枠、３…内側障子、４…外側障子、５…渦巻きバネ式バランサー装置、６…取付け金具、７…浮き上がり防止ネジ、８…切起し傾斜片、１０…第１ベース板、１０Ａ…取付け板部、１０Ｂ…ハウジング板部、１０ｃ…第１切起し片、１０ｄ…通孔、１０ｅ…窓孔、１１…第２ベース板、１３…支軸、１４…巻取りドラム、１５…吊りワイヤ、１６…渦巻きバネ、１８…取付け板本体、１９ａ…上側係合片、１９ｂ…下側係合片、１９ｃ…上側係合孔、１９ｅ…下側係合孔、２０…固定ネジ、２１…スペーサ、２２…金具本体板部、２３…上側受け係合部、２３ｄ…上側係合溝、２３ｅ…上側係合片、２４…下側受け係合部、２４ｄ…下側係合溝、２４ｅ…下側係合片、２５…裏当て板部、２５ａ…第２切起し片、２５ｂ…通孔、２５ｃ…凸状バネ板部、２６…浮き上がり防止用割りピン
【図１】
0003787288.tif 000002
【図２】
0003787288.tif 000003
【図３】
0003787288.tif 000004
【図４】
0003787288.tif 000005
【図５】
0003787288.tif 000006
【図６】
0003787288.tif 000007
【図７】
0003787288.tif 000008
【図８】
0003787288.tif 000009
【図９】
0003787288.tif 000010
【図１０】
0003787288.tif 000011
【図１１】
0003787288.tif 000012
【図１２】
0003787288.tif 000013
【図１３】
0003787288.tif 000014
【図１４】
0003787288.tif 000015
【図１５】
0003787288.tif 000016
【図１６】
0003787288.tif 000017
【図１７】
0003787288.tif 000018
【図１８】
0003787288.tif 000019
【図１９】
0003787288.tif 000020
【図２０】
0003787288.tif 000021